【事件の表示】
　特許第２８２４１６２号「座標入力装置」の請求項１ないし４に係る特許に対する特許異議の申立てについて、次のとおり決定する。
【結論】
　　訂正を認める。
　　特許第２８２４１６２号の請求項１ないし４に係る特許を維持する。
【理由】
１．手続の経緯
　本件特許第２８２４１６２号の請求項１〜４に係る発明についての出願は、平成３年５月１４日に特許出願され、平成１０年９月４日にその発明についての特許の設定登録がなされ、その後、その特許について、異議申立人吉岡英樹より特許異議の申立てがなされ、取消理由通知がなされ、その指定期間内である平成１１年１１月１日に訂正請求がなされたものである。
２．訂正の適否について
〔２−１〕訂正の内容
　　特許権者が求めている訂正の内容は、次のとおりのものである。
　（訂正事項ａ）　特許請求の範囲の請求項３において「前記面抵抗シート上の予め定める特定領域における前記スペーサの設置密度を、他の領域におけるスペーサの設置密度より大きくすることを特徴とする座標入力装置」とあるのを、「前記面抵抗シート上の予め定める特定領域における前記スペーサの設置密度を、他の領域におけるスペーサの設置密度より大きくし、前記特定領域の入力感度を前記他の領域における入力感度よりも低く設定したことを特徴とする座標入力装置」と訂正する。
　（訂正事項ｂ）　特許明細書の段落【００１８】において「前記面抵抗シート上の予め定める特定領域における前記スペーサの設置密度を、他の領域におけるスペーサの設置密度より大きくすることを特徴とする座標入力装置」とあるのを、「前記面抵抗シート上の予め定める特定領域における前記スペーサの設置密度を、他の領域におけるスペーサの設置密度より大きくし、前記特定領域の入力感度を前記他の領域における入力感度よりも低く設定したことを特徴とする座標入力装置」と訂正する。
〔２−２〕訂正の目的の適否、新規事項の有無、及び特許請求の範囲の拡張・変更の存否
　（訂正事項ａについて）　上記訂正事項ａに関して、特許明細書の発明の詳細な説明の段落【００２１】及び【００４５】には、「特定領域の入力感度は、他の領域の入力感度よりも低く設定される。」と記載されていることから、上記訂正事項ａは、特許明細書に記載された事項の範囲内において、特定領域の入力感度について限定したものといえるから、特許請求の範囲の減縮を目的とするものであり、新規事項の追加に該当しない。
　（訂正事項ｂについて）　上記訂正事項ｂは、上記特許請求の範囲の訂正に整合するように明細書の段落【００１８】を訂正するものであるから、明りょうでない記載の釈明を目的とするものであり、新規事項の追加に該当しない。
　そして、上記いずれの訂正も実質上特許請求の範囲を拡張し、又は変更するものでもない。
〔２−３〕独立特許要件
（１）　引用刊行物
　訂正明細書の請求項３に係る発明に対して、当審が平成１１年８月１７日付けで通知した取消理由で引用した刊行物（特開昭６３−２８４６２９号公報）には、次の発明が記載されている。
　対向する両端部に電極を有する抵抗層を形成した一対のシートを、シート間距離を均一に保つためのスペーサ７を介在して保持し、前記電極形成方向が互いに直交するように、かつ、一方のシート上の任意の点を押圧したとき互いに接触するように配設し、前記各シート毎に一定の電圧をスキャンさせて加え、シートの電位を検出し、検出した電位に基づいて押圧された点の座標を算出するようにした座標入力装置において、
　前記シート上のターミナルリード３、６の近くにおける前記スペーサの設置密度を、ターミナルリードから離れた部分、中央部分におけるスぺーサの設置密度よりも大きくした座標入力装置。
（２）　対比・判断
　訂正明細書の請求項３に係る発明と上記刊行物に記載された発明とを対比する。上記刊行物に記載された発明における「抵抗層を形成した一対のシート」は、訂正明細書の請求項３に係る発明における「一対の面抵抗シート」に相当する。また、上記刊行物に記載された発明における「シート上のターミナルリード３、６の近く」及び「ターミナルリードから離れた部分、中央部分」は、それぞれ、訂正明細書の請求項３に係る発明における「シート上の予め定める特定領域」及び「他の領域」に相当するから、上記刊行物に記載された発明における「前記シート上のターミナルリード３、６の近くにおける前記スペーサの設置密度を、ターミナルリードから離れた部分、中央部分におけるスペーサの設置密度よりも大きくした」ことは、訂正明細書の請求項３に係る発明における「前記面抵抗シート上の予め定める特定領域における前記スペーサの設置密度を、他の領域におけるスペーサの設置密度よりも大きくすること」に相当する。そうすると、訂正明細書の請求項３に係る発明と上記刊行物に記載された発明とは、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したとき互いに接触するように配設し、面抵抗シートの電位を検出し、検出した電位に基づいて押圧された点の座標を算出するようにした座標入力装置において、前記面抵抗シート上の予め定める特定領域における前記スペーサの設置密度を、他の領域におけるスペーサの設置密度よりも大きくした座標入力装置である点では一致するものの、特定領域における入力に関し、上記刊行物には、「絶縁シート４の端付近、額縁状のケース９がオーバーラップする場所１０を押しても、絶縁ドットスペーサー７が密集しているため、絶縁シート４はたわまず、抵抗層２、５は接触しない。・・・（中略）・・・ケース９に隠れた部分をケース９の上からケース９をたわませて押しても入力できない。」（公報第３頁左上欄第４〜１３行）と記載されていることからみて、上記刊行物に記載された発明におけるスペーサの設置密度を大きくした部分（特定領域）においては入力できないものであり、訂正明細書の請求項３に係る発明のように「前記特定領域の入力感度を前記他の領域における入力感度よりも低く設定」するものであるとはいえない。そして、訂正明細書の請求項３に係る発明は、「面抵抗シート上の予め定める特定領域におけるスペーサの設置密度を、他の領域におけるスペーサの設置密度よりも大きくし、前記特定領域の入力感度を前記他の領域における入力感度よりも低く設定」するという構成を具備することにより、面抵抗シート上の座標入力可能な領域において、所望の入力位置以外の位置での誤入力の発生を低減することができるとともに、面抵抗シート上の座標入力可能な領域の利用範囲を拡大することができるという上記刊行物に記載された発明にはみられない格別な効果を奏するものである。
　したがって、訂正明細書の請求項３に係る発明は、上記刊行物に記載された発明であるとすることはできず、また上記刊行物に記載された発明に基づいて当業者が容易に発明をすることができたものとすることはできない。さらに、他の独立特許要件を満たさないものでもない。訂正明細書の請求項３に係る発明は、特許出願の際独立して特許を受けることができるものである。
〔２−４〕訂正請求に対するむすび
　以上のとおりであるから、上記訂正は、特許法第１２０条の４第２項及び第３項で準用する同法第１２６条第２〜４項の規定に適合するので、当該訂正を認める。
３．特許異議申立てについて
〔３−１〕本件発明
　訂正明細書の請求項１〜請求項４に係る発明は、それぞれ、訂正明細書の請求項１〜請求項４に記載された次のとおりのものである。（以下、「本件請求項１〜４に係る発明」という。なお、請求項１、２及び４については訂正無し。）
　「【請求項１】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域のシート厚を他の領域のシート厚よりも厚くすることを特徴とする座標入力装置。
　【請求項２】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域における前記スペーサの大きさを、他の領域におけるスペーサの大きさよりも大きくすることによって、前記特定領域における面抵抗シート間距離を、他の領域における面抵抗シート間距離よりも長く設定することを特徴とする座標入力装置。
　【請求項３】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域における前記スペーサの設置密度を、他の領域におけるスペーサの設置密度よりも大きくし、前記特定領域の入力感度を前記他の領域における入力感度よりも低く設定したことを特徴とする座標入力装置。
　【請求項４】　前記予め定める特定領域は、面抵抗シート押圧時に操作者の手元が接触する領域に相当することを特徴とする請求項１、２または３記載の座標入力装置。」
〔３−２〕特許異議申立ての理由の概要
　特許異議申立人吉岡英樹は、甲第１号証（特開昭６３−２８４６２９号公報。上記刊行物。）、及び甲第２号証［実願昭６０−１６６１４９号（実開昭６２−７３４３９号）のマイクロフィルム］を提出し、請求項１、請求項２に係る発明は、甲第１号証、及び甲第２号証に記載された発明に基づいて当業者が容易に発明をすることができたものであり、請求項３、請求項４に係る発明は、甲第１号証に記載された発明であるから、請求項１〜請求項４に係る発明の特許は、特許法第２９条第１項または第２項の規定に違反してなされたものであり、取り消されるべき旨を主張している。
〔３−３〕甲各号証に記載された発明
　甲第１号証は上記刊行物であり、甲第１号証には、上記〔２−３〕（１）において示したとおりの発明が記載されている。
　甲第２号証には、次の発明が記載されている。
　膜型キーボードスイッチにおいて、大きい操作領域２、３に該当する箇所では小さな開口１３を、小さな操作領域４に該当する領域では大きい開口１４を補助スペーサ１２に穿設し、シート部材９と操作表示シート１５との間に補助スペーサ１２を設けること、及び、補助スペーサの大きさを異ならせることで両電極１０と６、１１と７の間の距離が異なるようにすること
〔３−４〕対比・判断
（１）　本件請求項１に係る発明について
　本件請求項１に係る発明と甲第１号証に記載された発明とを対比すると、両者は、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したとき互いに接触するように配設し、面抵抗シートの電位を検出し、検出した電位に基づいて押圧された点の座標を算出するようにした座標入力装置である点では一致するものの、甲第１号証に記載された発明は、本件請求項１に係る発明における「面抵抗シート上の予め定める特定領域のシート厚を他の領域のシート厚よりも厚くする」という構成を具備していない。また、甲第２号証に記載された発明は、操作領域（キー）の大小に拘わらず押圧操作力の均等化を図ることを目的とするものであり、甲第１号証に記載された発明のケースの上に手や肘を置くことによりケースがたわんだり、ケース自体のソリ等によって誤動作することを防止するという目的とは全く異なるので、甲第１号証に記載された発明に甲第２号証に記載された発明を適用することはできない。
　したがって、本件請求項１に係る発明は、甲第１号証に記載された発明であるとすることはできず、また甲第１号証及び甲第２号証に記載された発明に基づいて当業者が容易に発明をすることができたものとすることはできない。
（２）　本件請求項２に係る発明について
　本件請求項２に係る発明と甲第１号証に記載された発明とを対比すると、両者は、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したとき互いに接触するように配設し、面抵抗シートの電位を検出し、検出した電位に基づいて押圧された点の座標を算出するようにした座標入力装置である点では一致するものの、甲第１号証に記載された発明は、本件請求項２に係る発明における「前記面抵抗シート上の予め定める特定領域における前記スペーサの大きさを、他の領域におけるスペーサの大きさよりも大きくすることによって、前記特定領域における面抵抗シート間距離を、他の領域における面抵抗シート間距離よりも長く設定する」という構成を具備していない。また、甲第２号証に記載された発明は、操作領域（キー）の大小に拘わらず押圧操作力の均等化を図ることを目的とするものであり、甲第１号証に記載された発明のケースの上に手や肘を置くことによりケースがたわんだり、ケース自体のソリ等によって誤動作することを防止するという目的とは全く異なるので、甲第１号証に記載された発明に甲第２号証に記載された発明を適用することはできない。
　したがって、本件請求項２に係る発明は、甲第１号証に記載された発明であるとすることはできず、また甲第１号証及び甲第２号証に記載された発明に基づいて当業者が容易に発明をすることができたものとすることはできない。
（３）　本件請求項３に係る発明について
　本件請求項３に係る発明は、上記〔２−３〕において示したように、甲第１号証（上記刊行物）に記載された発明であるとすることはできない。
（４）　本件請求項４に係る発明について
　本件請求項４に係る発明は、本件請求項１、２または３に係る発明を前提とするものであり、上記（１）〜（３）に示したように本件請求項１、２または３に係る発明が甲第１号証に記載された発明であるとすることができない以上、甲第１号証に記載された発明であるとすることはできない。
〔３−５〕むすび
　以上のとおりであるから、特許異議申立ての理由及び証拠によっては、本件請求項１〜４に係る発明の特許を取り消すことはできない。
　また、他に本件請求項１〜４に係る発明の特許を取り消すべき理由を発見しない。
　よって、結論のとおり決定する。
【異議決定日】
平成１１年１２月１７日（１９９９．１２．１７）
【訂正の要旨】
〔訂正の要旨〕
　（訂正事項ａ）　特許請求の範囲の減縮を目的として、特許請求の範囲の請求項３において「前記面抵抗シート上の予め定める特定領域における前記スペーサの設置密度を、他の領域におけるスペーサの設置密度より大きくすることを特徴とする座標入力装置」とあるのを、「前記面抵抗シート上の予め定める特定領域における前記スペーサの設置密度を、他の領域におけるスペーサの設置密度より大きくし、前記特定領域の入力感度を前記他の領域における入力感度よりも低く設定したことを特徴とする座標入力装置」と訂正する。
　（訂正事項ｂ）　明りょうでない記載の釈明を目的として、特許明細書の段落【００１８】において「前記面抵抗シート上の予め定める特定領域における前記スペーサの設置密度を、他の領域におけるスペーサの設置密度より大きくすることを特徴とする座標入力装置」とあるのを、「前記面抵抗シート上の予め定める特定領域における前記スペーサの設置密度を、他の領域におけるスペーサの設置密度より大きくし、前記特定領域の入力感度を前記他の領域における入力感度よりも低く設定したことを特徴とする座標入力装置」と訂正する。
（５４）【発明の名称】
座標入力装置
（５７）【特許請求の範囲】
　【請求項１】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、
前記面抵抗シート上の予め定める特定領域のシート厚を他の領域のシート厚よりも厚くすることを特徴とする座標入力装置。
　【請求項２】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、
前記面抵抗シート上の予め定める特定領域における前記スペーサの大きさを、他の領域におけるスペーサの大きさよりも大きくすることによって、前記特定領域における面抵抗シート間距離を、他の領域における面抵抗シート間距離よりも長く設定することを特徴とする座標入力装置。
　【請求項３】　対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、
前記面抵抗シート上の予め定める特定領域における前記スペーサの設置密度を、他の領域におけるスペーサの設置密度よりも大きく
し、前記特定領域の入力感度を前記他の領域における入力感度よりも低く設定したこと
　【請求項４】　前記予め定める特定領域は、面抵抗シート押圧時に操作者の手元が接触する領域に相当することを特徴とする請求項１，２または３記載の座標入力装置。
【発明の詳細な説明】
　　　【０００１】
　　【産業上の利用分野】
　本発明は、コンピュータやワードプロセッサなどに文字や図形などを入力する際に用いられるタブレットなどの座標入力装置に関し、さらに詳しくは、２枚の面抵抗シートを対向して配置し、入力面となる一方の面抵抗シート上の任意の点を指やペンなどで押圧して他方の面抵抗シートに接触させ、該接触点の座標を検出して出力するいわゆる感圧型タブレットなどの座標入力装置に関する。
　　　【０００２】
　　【従来の技術】
　従来から、コンピュータやワードプロセッサなどに文字や図形などを入力する手段として、たとえば感圧型タブレットが用いられている。感圧型タブレットは、他の方式のタブレットに比べて、構造が単純であり、かつ低消費電力、安価であるので、広く用いられている。
　　　【０００３】
　図１１は、従来例である感圧型タブレット１０の構成を示す断面図である。感圧型タブレット１０は、図１１（１）に示すように、一方表面の全面に亘って１枚の導電膜（面抵抗）２が形成された可撓性を有するポリエステルフィルム１と、一方表面の全面に亘って１枚の導電膜（面抵抗）４が形成されたガラス基板３とを、導電膜２，４が対向するように配置し、導電膜２，４間の絶縁を保つと共に導電膜２，４間距離を一定に保つためのスペーサ５を介在して構成される。図１１（２）に示すように、スペーサ５間の所望の領域を指やペンなどの押圧手段６によって押圧して導電膜２，４を接触させ、該接触点の座標を検出して出力する。
　　　【０００４】
　図１２は、他の従来例である感圧型タブレット１１の構成を示す断面図である。このタブレット１１は、前述の図１１に示すタブレット１０と類似しており、対応する構成には同一の参照符を付して説明する。図１２に示すタブレット１１では、スペーサ５は、導電膜２，４間の絶縁を保つためだけに設けられており、導電膜２，４間の距離は他の距離調節部材によって均一に保たれている。すなわち、図１２に示すタブレット１１では、スペーサ５は所望の領域を押圧手段６によって押圧した際に、その押圧領域周辺の領域において導電膜２，４が互いに接触することを防止するためだけに設けられている。
　　　【０００５】
　このタブレット１１においても前述と同様に図１２（２）に示すように、スペーサ５間の所望の領域を押圧手段６によって押圧して導電膜２，４を接触させ、該接触点の座標を検出して出力する。
　　　【０００６】
　　【発明が解決しようとする課題】
　一般的に感圧型タブレットにおける入力感度、すなわち上下の導電膜２，４が接触するための圧力は、スペーサ５の高さおよび設置間隔、押圧面となるポリエステルフィルム１などのシートの厚さ、押圧手段６の先端部の曲率によって決定される。通常は、比較的軽い圧力でも入力可能となるように、スペーサ５は図１３に示すように均一間隔で、すなわち均一の設置密度で配置されている。
　　　【０００７】
　しかしながら、感圧型タブレットが大型化するにつれて、目的とする位置を指またはペンなどの押圧手段６によって入力（押圧）しようとした場合、図１４に示すように、どうしても操作者の手元側で手の平７などが感圧型タブレットの押圧面に触れてしまう。これによって所望の入力位置以外の位置で導電膜２，４が接触してしまい、誤入力の発生の原因となる。
　　　【０００８】
　図１５は、感圧型タブレットの電気的構成を示す回路図であり、導電膜２，４が同時に２箇所で接触している状態を示している。導電膜２，４の対向する両端部にはそれぞれ端子ＸＬａ，ＸＨａ；ＹＬａ，ＹＨａが設けられている。導電膜２，４の面抵抗値は、端子ＸＬａ−ＸＨａ間がＲｘａ、端子ＹＬａ−ＹＨａ間がＲｙａであり、通常、数百Ωの抵抗値である。
　　　【０００９】
　導電膜２が形成されたポリエステルフィルム１の上面に感圧ペンなどの押圧手段６が接触していないときは、図１１（１）および図１２（１）に示すように、導電膜２，４はスペーサ５などを介して僅かに離れており、電気的には導電膜２，４は非接触状態である。
　　　【００１０】
　前記端子ＸＬａ，ＸＨａ；ＹＬａ，ＹＨａには、それぞれスイッチング素子ＳＸＬａ，ＳＸＨａ；ＳＹＬａ，ＳＹＨａが接続されており、これらのスイッチング素子を制御することによって、端子ＸＬａ，ＹＬａはローレベル（グランド電位）またはハイインピーダンス状態に切換えられ、端子ＸＨａ，ＹＨａはハイレベル（電位Ｖｃ）またはハイインピーダンス状態に切換えることができる。
　　　【００１１】
　したがって、端子ＸＬａ，ＸＨａを共にハイインピーダンスにして導電膜２をハイインピーダンスの状態にすることも可能であり、また端子ＸＬａをローレベル、端子ＸＨａをハイレベルにして導電膜２に傾斜電位を持たせることも可能であり、このことは、導電膜４についても同様である。
　　　【００１２】
　ここで、図１５を参照して、ポリエステルフィルム１上の１点を押圧手段６で押して、導電膜２，４が接触点Ｐａにおいて、点接触している場合を説明する。この場合、スイッチング素子ＳＸＬａ，ＳＸＨａを共にオンにして端子ＸＬａをローレベル（グランド電位）、端子ＸＨａをハイレベル（電位Ｖｃ）にし、またスイッチング素子ＳＹＬａ，ＳＹＨａを共にオフにして導電膜４をハイインピーダンスの状態にすると、端子ＹＬａの電位は接触点Ｐａの電位となる。この接触点Ｐａの電位は、電位ＶｃをＲｘ１：Ｒｘ２に分割する電位であり、この電位に基づいてＸ座標を算出することが可能である。また、スイッチング素子の設定状態を前述と逆に設定することによって、Ｙ座標を算出することができる。
　　　【００１３】
　端子ＸＬａ，ＹＬａの各電位は、入力インピーダンスの高いＡ／Ｄ変換器８によってデジタルデータに変換されてＣＰＵ（中央演算処理装置）９に与えられる。ＣＰＵ９は、与えられるデジタルデータに基づいて接触点ＰａのＸ座標およびＹ座標を算出する。
　　　【００１４】
　このとき、たとえば図１４に示すように、検出ペンや指などの押圧手段６で入力した際に、手の平７などがポリエステルフィルム１上に接触し、導電膜２，４が２箇所で接触してしまう場合がある。この場合、図１５に示すように押圧手段６による接触点Ｐａと手の平７などによる接触点Ｑａとの間の抵抗が、導電膜２による抵抗Ｒｘ２１と導電膜４による抵抗Ｒｙ２１との並列抵抗となるため、端子ＸＬａ−ＸＨａおよび端子ＹＬａ−ＹＨａ間の抵抗値がそれぞれ正規な抵抗値Ｒｘ，Ｒｙより低い値になり、本来の接触点Ｐａとは全く異なる位置を入力座標として検出してしまうという問題がある。
　　　【００１５】
　本発明の目的は、誤入力を防止し、使用性のよい座標入力装置を提供することである。
　　　【００１６】
　　【課題を解決するための手段】
　本発明は、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域のシート厚を他の領域のシート厚よりも厚くすることを特徴とする座標入力装置である。
　　　【００１７】
　また本発明は、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域における前記スペーサの大きさを、他の領域におけるスペーサの大きさよりも大きくすることによって、前記特定領域における面抵抗シート間距離を、他の領域における面抵抗シート間距離よりも長く設定することを特徴とする座標入力装置である。
　　　【００１８】
　さらにまた本発明は、対向する両端部に電極を有する一対の面抵抗シートを、シート間距離を均一に保つためのスペーサを介在して保持し、前記電極形成方向が互いに直交するように、かつ、一方の面抵抗シート上の任意の点を押圧したときに互いに接触するように配設し、前記各面抵抗シート毎にその一方の電極と他方の電極とをそれぞれスイッチング手段を介してハイレベルとローレベルとに接続し、前記スイッチング手段を制御して前記一対の面抵抗シートの一方に傾斜電位を持たせると共に、他方の面抵抗シートに接続されるスイッチング手段をハイインピーダンス状態にし、前記ハイインピーダンス状態にしたスイッチング手段側の面抵抗シートの電位を検出し、検出した電位に基づいて押圧された点の座標を算出するようにした座標入力装置において、前記面抵抗シート上の予め定める特定領域における前記スペーサの設置密度を、他の領域におけるスペーサの設置密度よりも大きく
し、前記特定領域の入力感度を前記他の領域における入力感度よりも低く設定したこと
　　　【００１９】
　さらにまた本発明は、前記予め定める特定領域は、面抵抗シート押圧時に操作者の手元が接触する領域に相当することを特徴とする。
　　　【００２０】
　　　【００２１】
　　【作用】本発明に従えば、面抵抗シート上の予め定める特定領域の入力感度は、他の領域の入力感度よりも低く設定される。入力感度とは、２枚の面抵抗シートが接触するために必要な圧力を意味する。予め定める特定領域は、操作者が面抵抗シートを押圧する際に、操作者の手元などが接触する位置に相当する領域に選ばれる。
　　　【００２２】
　したがって、前記予め定める特定領域では、他の領域に比べて大きな圧力を加えなければ座標入力を行うことはできず、これによって、本来入力すべき座標以外の領域で面抵抗シートが接触することを防止することができる。これによって、誤入力の発生を低減することができると共に、使用性の高い座標入力装置を提供することができる。
　　　【００２３】
　いわゆる感圧型の座標入力装置においては、入力感度は、２枚の面抵抗シート間の距離（スペーサの高さ）、入力面（押圧面）となる面抵抗シートの厚さ、押圧手段の先端部の曲率などによって決定される。
　　　【００２４】
　同一の押圧手段を用い、かつ押圧面となる面抵抗シートの厚みが均一の場合は、スペーサの高さを大きくすることによって面抵抗シート間の距離が長くなるほど、座標入力時には大きな圧力が必要である。したがって、前記予め定める特定領域におけるスペーサの高さを他の領域におけるスペーサの高さに比べて大きくすることによって、前記特定領域の入力感度を低く設定することができる。
　　　【００２５】
　また、同一の押圧手段を用い、かつスペーサの高さが均一の場合は、押圧面となる面抵抗シートの厚みが大きくなるほど、座標入力時には大きな圧力が必要である。したがって、前記特定領域における面抵抗シートの厚みを、他の領域における面抵抗シートの厚みより大きくすることによって、特定領域の入力感度を低く設定することができる。
　　　【００２６】
　さらに、同一の押圧手段を用い、押圧面となる面抵抗シートの厚みが均一であり、かつスペーサの高さが均一の場合は、スペーサの設置密度を大きくすることによって、押圧時に変形する領域を小さくすると、座標入力時には大きな圧力が必要となる。したがって、前記特定領域におけるスペーサの設置密度を、他の領域におけるスペーサの設置密度よりも大きくすることによって、特定領域の入力感度を低く設定することができる。
　　　【００２７】
　　　【００２８】
　通常、座標入力装置では、ペン入力方式とタッチ入力方式とが採用されている。ペン入力方式とは、たとえばボールペンなどのように先端部が細くかつ堅い材質の押圧手段で入力を行う方式である。タッチ入力方式とは、指先などのように比較的曲率が大きくかつ柔らかい材質の押圧手段で入力を行う方式である。ペン入力方式では押圧面が小さいので、比較的小さな圧力でも入力指示が可能であり、タッチ入力方式では、押圧面が大きいので入力時には比較的大きな圧力が必要である。
　　　【００２９】
　したがって、上述のように入力感度の異なる領域が設定された座標入力装置では、入力感度の高い領域ではタッチ入力方式を用い、入力感度が低い領域はペン入力方式を採用することによって、使用性のよい座標入力装置を提供することができる。
　　　【００３０】
　　【実施例】
　図１は、本発明の一実施例である感圧型座標入力装置２１の平面図あり、図２は感圧型座標入力装置２１の斜視図である。座標入力装置２１は、図１の紙面上下方向両端部に設定される機能選択領域２２およびキャラクタ入力領域２３と、押圧手段であるペン２５によって座標などの入力が行われる作業領域２４とを有する。機能選択領域２２は、入力感度が低く設定されており、指先などでの入力が行われるタッチ入力領域であり、キャラクタ入力領域２３は入力感度は高く設定されており、ペン２５などでの入力が行われるペン入力領域である。図２に示すように、座標入力を行う操作者の手元側にキャラクタ入力領域（ペン入力領域）２３が配置される。
　　　【００３１】
　図３は、切断面線ＩＩＩ−ＩＩＩから見た座標入力装置２１の断面図である。座標入力装置２１は、酸化インジウムなどから成る抵抗層（面抵抗）３２，３４がそれぞれ対向する表面に形成されたシート３１，３３を、スペーサ３５を介在して張合わせて構成される。スペーサ３５は、抵抗層３２，３４間の距離を均一に保つと共に、抵抗層３２，３４を電気的に絶縁する役割を有する。
　　　【００３２】
　シート３１は、ペン２５によって押圧される入力面であり、ポリエステルやポリエチレンなどの可撓性を有する材料から成る。シート３３は、固定基板であり、ガラスまたは裏面をプラスチックで補強したポリエチレンなどから成る。
　　　【００３３】
　図３に示すように、ペン入力領域２３のシート３１のシート厚ｔｆは、タッチ入力領域２２におけるシート３１のシート厚ｔｄよりも長く選ばれている。一般に感圧型座標入力装置では、入力感度は、シート３１，３３間の距離を調整するスペーサ３５の高さ、入力面となるシート３１の厚さ、押圧手段であるペン２５の先端部の曲率によって決定される。したがって、図３に示すように、同一の大きさのスペーサ３５を用いた場合は、シート３１のシート厚を厚くすることによって座標入力時には大きな圧力が必要となる。すなわち、入力感度が低く設定されたことになる。
　　　【００３４】
　したがって、図２に示すように、ペン２５を用いて機能選択領域２２または作業領域２４を押圧する際に、操作者の手の平や指などがペン入力領域２３に接触したとしても、入力感度は低く設定されているので、抵抗層３２，３４が接触することはない。これによって、座標入力装置２１における誤入力の発生を防止することができる。
　　　【００３５】
　図４は、座標入力装置２１の概略的構成を示す平面図である。図４において、シート３１，３３は、前述のように対向する表面にそれぞれ一様な抵抗層３２，３４を形成したシートであり、その対向する端部には斜線を施して示す電極３１Ｌ，３１Ｈ；３３Ｌ，３３Ｈが設けられており、さらに、これらの電極にはそれぞれ端子ＸＬ，ＸＨ；ＹＬ，ＹＨが接続されている。前記シート３１，３３の面抵抗値は、端子ＸＬ−ＸＨ間がＲｘ、端子ＹＬ−ＹＨ間がＲｙであり、通常、数百Ωの抵抗値である。
　　　【００３６】
　図５および図６は、座標入力装置２１の電気的構成を示す回路図である。シート３１の入力面にペン２５を接触していないときは、２枚のシート３１，３３はスペーサ３５などを介して、予め定める均一の間隔をあけて離間しており、電気的には図５に示すように２つの抵抗層３２，３４は非接触状態である。
　　　【００３７】
　前記端子ＸＬ，ＸＨ；ＹＬ，ＹＨにはそれぞれスイッチング素子ＳＸＬ，ＳＸＨ；ＳＹＬ，ＳＹＨが接続されている。これらのスイッチング素子を制御することによって、端子ＸＬ，ＹＬはローレベル（グランド電位）またはハイインピーダンスに切換えられ、端子ＸＨ，ＹＨはハイレベル（電位Ｖｃ）またはハイインピーダンスに切換えられる。
　　　【００３８】
　したがって、端子ＸＬ，ＸＨを共にハイインピーダンスにして抵抗層３２をハイインピーダンスの状態にすることも、端子ＸＬをローレベル、端子ＸＨをハイレベルにして抵抗層３２に傾斜電位を持たせることも可能であり、このことは抵抗層３４についても同様である。
　　　【００３９】
　図６は、シート３１上の１点をペン２５で押した状態を示しており、シート３１，３３の各抵抗層３２，３４は接触点Ｐｉにおいて点接触している。したがって、スイッチング素子ＳＸＬ，ＳＸＨを共にオンにして端子ＸＬをローレベル（グランド電位）、端子ＸＨをハイレベル（電位Ｖｃ）にし、さらにスイッチング素子ＳＹＬ，ＳＹＨを共にオフにしてハイインピーダンスの状態にすると、端子ＹＬの電位は接触点Ｐｉの電位となる。
　　　【００４０】
　ここで、シート３１の抵抗層３２において、端子ＸＬから接触点Ｐｉまでの抵抗値をＲｘ１とし、接触点Ｐｉから端子ＸＨまでの抵抗値をＲｘ２とする。また、シート３３の抵抗層３４において、端子ＹＬから接触点Ｐｉまでの抵抗値をＲｙ１とし、接触点Ｐｉから端子ＹＨまでの抵抗値をＲｙ２とする。したがって、接触点Ｐｉの電位は、電位ＶｃをＲｘ１：Ｒｘ２に分割する電位となり、端子ＹＬの電位を検出することによってＸ座標を算出することができる。さらに、スイッチング素子のオン／オフを状態を前述と逆に設定することによって、同様にしてＹ座標を算出することができる。
　　　【００４１】
　端子ＸＬ，ＸＨの電位は、入力インピーダンスの高いＡ／Ｄ変換器２６によってデジタルデータに変換され、ＣＰＵ（中央演算処理装置）２７に与えられる。ＣＰＵ２７は、検出された端子ＸＬ，ＹＬの各電位に基づいて、Ｘ座標およびＹ座標を算出する。
　　　【００４２】
　図７は、本発明の他の実施例である座標入力装置２１ａの構成を示す断面図である。本実施例は、前述の座標入力装置２１と類似しており、同一の構成部材には同一の参照符号を付して説明する。座標入力装置２１ａの特徴は、ペン入力領域２３におけるスペーサ３５ｆの高さｈｆを、タッチ入力領域２２および作業領域２４におけるスペーサ３５ｄの高さｈｄよりも大きく選んだことである。したがって、入力領域２３におけるシート３１，３３間の距離は、他の領域におけるシート間距離よりも長くなる。
　　　【００４３】
　このようにペン入力領域２３のシート間距離を長くすることによっても、入力感度を低く設定することができる。本実施例においても、前述の座標入力装置２１と同様の効果がある。
　　　【００４４】
　図８は、本発明のさらに他の実施例である座標入力装置２１ｂの構成を示す断面図である。本実施例は、前述の座標入力装置２１，２１ａに類似しており、同一の構成部材には同一の参照符号を付して説明する。座標入力装置２１ｂの特徴は、ペン入力領域２３において、シート３１のシート厚ｔｆを他の領域のシート厚ｔｄよりも厚くし、かつスペーサ３５ｆの高さｈｆを、他の領域のスペーサ３５ｄの高さｈｄよりも長く選んだことである。これによって、ペン入力領域２３の入力感度は、他の領域の入力感度よりも低く設定される。本実施例の座標入力装置２１ｂにおいても、前述の実施例と同様の効果がある。
　　　【００４５】
　図９は、本発明のさらに他の実施例である座標入力装置２１ｃの平面図である。本実施例は、前述の座標入力装置２１に類似しており、同一の構成部材には同一の参照符号を付して説明する。座標入力装置２１ｃの特徴は、予め定める特定領域におけるスペーサ３５の設置密度を、他の領域におけるスペーサ３５の設置密度よりも大きく選んだことである。本実施例では、操作者が右利きであることを想定し、座標入力装置２１ｃにおける右方下側のスペーサ３５の設置密度を大きくしている。これによって、特定領域の入力感度は、他の領域の入力感度よりも低く設定される。
　　　【００４６】
　したがって、前記特定領域は操作者が座標入力装置２１ｃのシート３１を押圧操作する際に、押圧する指以外の手の部分がシート３１に接触する恐れのある領域に選ばれており、シート３１押圧時に図１０に示すように操作者の手の平２８などがシート３１に接触したとしても、その接触部分において抵抗層３２，３４が接触することを防止することができる。本実施例においても、前述の座標入力装置２１と同様の効果がある。
　　　【００４７】
　　【発明の効果】
　以上のように本発明によれば、操作者による面抵抗シートの押圧時に所望の押圧領域以外の領域において面抵抗が互いに接触することを防止することができる。これによって、座標入力装置に対する誤入力の発生を格段に低減することができると共に、使用性がよく、かつ利用範囲の拡大される座標入力装置を実現することができる。
【図面の簡単な説明】
　　【図１】
　本発明の一実施例である感圧型座標入力装置２１の平面図である。
　　【図２】
　感圧型座標入力装置２１の斜視図である。
　　【図３】
　感圧型座標入力装置２１の断面図である。
　　【図４】
　座標入力装置２１の概略的構成を示す平面図である。
　　【図５】
　座標入力装置２１の電気的構成を示す回路図である。
　　【図６】
　座標入力装置２１における座標入力時の状態を示す回路図である。
　　【図７】
　本発明の他の実施例である座標入力装置２１ａの断面図である。
　　【図８】
　本発明のさらに他の実施例である座標入力装置２１ｂの断面図である。
　　【図９】
　本発明のさらにまた他の実施例である座標入力装置２１ｃの平面図である。
　　【図１０】
　座標入力装置２１ｃにおける座標入力時の状態を示す断面図である。
　　【図１１】
　従来例である感圧型タブレット１０の構成を示す断面図である。
　　【図１２】
　他の従来例である感圧型タブレット１１の構成を示す断面図である。
　　【図１３】
　従来例である感圧型タブレットの平面図である。
　　【図１４】
　従来の感圧型タブレットにおける座標入力時の状態を示す断面図である。
　　【図１５】
　従来の感圧型タブレットの電気的構成を示す回路図である。
　【符号の説明】
　２１，２１ａ，２１ｂ，２１ｃ　感圧型座標入力装置
　２２　タッチ入力領域
　２３　ペン入力領域
　２４　作業領域
　２５　ペン
　３１，３３　シート
　３２，３４　抵抗層
　３５　スペーサ